(57)【要約】【課題】香油を気化させて、空間の広さに適した量の芳香或いは芳香発生物を発生させる芳香発生装置の提供。【解決手段】香料を貯留した一つの香料貯蔵装置（１０）を設け、香料貯蔵装置（１０）の開口部（１０ｂ）に連通する複数の第１の可撓性配管（Ｈ１）を備え、第１の可撓性配管（Ｈ１）の各々は香料貯蔵タンク（１０）から香料を吸引するポンプ（Ｐ）の吸引側（Ｐｉ）に接続されており、当該ポンプ（Ｐ）の吐出側（Ｐｏ）は第２の可撓性配管（Ｈ２）に接続されており、第２の可撓性配管（Ｈ２）は香料を一時的に貯蔵して加熱する香料加熱装置（７１、１６）に連通している。【選択図】図９
2011217814.tif 000002
【特許請求の範囲】
【請求項１】
香料を貯留した一つの香料貯蔵装置を設け、香料貯蔵タンクの開口部に連通する複数本の第１の可撓性配管を備え、第１の可撓性配管の各々は香料貯蔵タンクから香料を吸引するポンプの吸引側に接続されており、当該ポンプの吐出側は第２の可撓性配管に接続されており、第２の可撓性配管は香料を一時的に貯蔵して加熱する香料加熱装置に連通しており、香料加熱装置で加熱されて気化した香料を吸引して大気中に放散する複数の吸引装置を有しており、第１の可撓性配管とポンプと第２の可撓性配管と香料加熱装置は同一数が設けられており、吸引装置は香料加熱装置と同一数或いはその整数倍が設けられていることを特徴とする芳香発生装置。
【請求項２】
制御装置を有しており、当該制御装置は、気化して徐放するべき香料の量に対応して香料加熱装置における加熱を開始するタイミングと終了するタイミングを制御する機能と、香料加熱装置における加熱を開始するタイミングと終了するタイミングに対応して吸引装置を作動するタイミングと停止するタイミング及び吸引装置における風量を制御する機能を有している請求項１の芳香発生装置。
【請求項３】
香料加熱装置が過熱した旨を検知する検知装置を備え、前記制御装置は、検知装置により香料加熱装置が過熱した旨を検知した場合には香料加熱装置における加熱を停止する機能を有している請求項２の芳香発生装置。
【発明の詳細な説明】
【技術分野】
【０００１】
本発明は、香油を気化させて、芳香或いは芳香発生物を発生させる芳香発生装置に関する。
【背景技術】
【０００２】
近年、香りに関する研究が進み、雰囲気中に芳香が存在することにより、人体に良好な影響を及ぼすことが判明している。
そのため、人が存在する空間に、芳香を発生するような機器、芳香発生装置が色々と提案されている。
【０００３】
しかし、従来の芳香発生装置は、一般家庭に設置されることを前提に開発されているため、芳香或いは芳香発生物質（気化した香油等）の徐放量が比較的少ない。
そのため、各種遊技場等の娯楽施設の様に、多人数が集まる比較的広い空間に従来の芳香発生機器を配置したとしても、当該空間中における芳香或いは芳香発生物質（気化した香油等）の徐放量が少なく、当該空間に存在する人々に芳香の存在を感知させることが困難であった。
【０００４】
その他の従来技術として、上端に加熱コイルを設けたヒューム管内にガラス繊維を配置し、ガラス繊維内に吸い上げられた香油がヒューム管の加熱コイルにより加熱されて、香油が発散して、芳香が発生する機器が提案されている（特許文献１参照）。
しかし、係る従来技術（特許文献１）においても、芳香が発生するのは単一のヒューム管の開口部に限定されるので、多数の人々が集まる娯楽施設等に十分な芳香を発生するには、芳香の徐放能力が不足している。
そのため、芳香を発生することによる各種メリットを発揮することが出来ないという問題を有している。
【先行技術文献】
【特許文献】
【０００５】
【特許文献１】特開２００２−３７２８３０号公報
【発明の概要】
【発明が解決しようとする課題】
【０００６】
本発明は上述した従来技術の問題点に鑑みて提案されたものであり、劇場や遊技場などの室内や、イベント会場等、人が多く集まる広い空間に、香油を気化させて、空間の広さに適した量の芳香或いは芳香発生物を発生させる芳香発生装置の提供を目的とする。
【課題を解決するための手段】
【０００７】
本発明の芳香発生装置（１００）は、香料を貯留した一つの香料貯蔵装置（タンク１０）を設け、香料貯蔵タンク（１０）の開口部（１０ｂ）に連通する複数本の第１の可撓性配管（Ｈ１）を備え、第１の可撓性配管（Ｈ１）の各々は香料貯蔵タンク（１０）から香料を吸引するポンプ（Ｐ）の吸引側（Ｐｉ）に接続されており、当該ポンプ（Ｐ）の吐出側（Ｐｏ）は第２の可撓性配管（Ｈ２）に接続されており、第２の可撓性配管（Ｈ２）は香料を一時的に貯蔵して加熱する香料加熱装置（加熱皿（ホットフランジ）７１、加熱手段１６）に連通しており、香料加熱装置（７１、１６）で加熱されて気化した香料を吸引して大気中に放散する複数の吸引装置（ファンＦ）を有しており、第１の可撓性配管（Ｈ１）とポンプ（Ｐ）と第２の可撓性配管（Ｈ２）と香料加熱装置（７１、１６）は同一数が設けられており、吸引装置（Ｆ）は香料加熱装置（７１、１６）と同一数或いはその整数倍が設けられていることを特徴としている。
【０００８】
ここで、香料としては、例えば、森林に多量に存在するフィトンチッドと、柑橘系を含んでいるのが好ましい。
もちろん、係る香料としては、使用状況に応じて、ケース・バイ・ケースで成分が調整可能であるのが好ましい。
【０００９】
本発明の芳香発生装置（１００）において、制御装置（５０）を有しており、当該制御装置（５０）は、気化して徐放するべき香料の量に対応して香料加熱装置（７１、１６）における加熱を開始するタイミングと終了するタイミングを制御する機能と、香料加熱装置（７１、１６）における加熱を開始するタイミングと終了するタイミングに対応して吸引装置（Ｆ）を作動するタイミングと停止するタイミング及び吸引装置（Ｆ）における風量を制御する機能を有しているのが好ましい。
この場合、制御装置（５０）は、気化して徐放するべき香料の量に対応して香料貯蔵装置（１０）から必要な量の香料を吸い上げるためにポンプ（Ｐ）の吸入流量（或いは吐出流量）を制御する機能をも有しているのが好ましい。
【００１０】
また本発明の芳香発生装置（１００）において、香料加熱装置（７１、１６）が過熱した旨を検知する検知装置（１９：例えば、サーミスタ、温度センサ）を備え、前記制御装置（５０）は、検知装置（１９）により香料加熱装置（７１、１６）が過熱した旨を検知した場合には香料加熱装置（７１、１６）における加熱を停止する機能を有しているのが好ましい。
【発明の効果】
【００１１】
上述する構成を具備する本発明の芳香発生装置（１００）によれば、香料貯蔵装置（１０）は一つのみであっても、第１の可撓性配管（Ｈ１）、ポンプ（Ｐ）、第２の可撓性配管（Ｈ２）、香料加熱装置（７１、１６）、吸引装置（Ｆ）は複数設けられているので、気化した香料を大量に徐放することが出来る。
そのため、各種遊技場等の娯楽施設の様に、多人数が集まる空間に配置しても、当該空間中における大量の芳香或いは気化した香料を徐放して、当該空間に存在する人々に芳香或いは気化した香料の存在を感知させることが出来る。
その結果、香料（特に機能性香料）における身体に良好な影響を、各種遊技場等の娯楽施設等の空間に集った大勢の人達に与えることが出来る。
【００１２】
そして、本発明の芳香発生装置（１００）によれば、第１の可撓性配管（Ｈ１）、ポンプ（Ｐ）、第２の可撓性配管（Ｈ２）、香料加熱装置（７１、１６）、吸引装置（Ｆ）が複数設けられているため、香料を気化して徐放する機構（徐放機構）が複数存在しているので、何れか一つの徐放機構が損傷したり、機能しなくなった場合においても、その他の徐放機構から気化した香料を徐放して、芳香発生装置（１００）が設置されている空間に集っている人々に芳香や気化した香料の存在を認識させ続けることが可能である。
【００１３】
本発明において、制御装置（５０）を設け、ポンプ（Ｐ）の吸入流量（或いは吐出流量）と、香料加熱装置（７１、１６）における加熱を開始するタイミング及び終了するタイミングと、吸引装置（Ｆ）を作動するタイミング及び停止するタイミングと、吸引装置（Ｆ）における風量とを制御する様に構成すれば、気化して徐放するべき香料の量に対応して、ポンプ（Ｐ）、香料加熱装置（７１、１６）、吸引装置（Ｆ）を適正に制御して、香料の加熱及び除法を適正に実行することが出来る。
【００１４】
また本発明において、香料加熱装置（７１、１６）が過熱した旨を検知する検知装置（１９）を備え、検知装置（１９）が、香料加熱装置（７１、１６）が過熱した旨を検知した場合には香料加熱装置（７１、１６）における加熱を停止する様に構成すれば、香料加熱装置（７１、１６）における異常な加熱を防止して、異常な過熱に伴う不都合（例えば、発火や焦げ付きによる異臭発生）を完全に防止することが可能である。
【図面の簡単な説明】
【００１５】
【図１】本発明の実施形態を示す斜視図である。
【図２】図１においてトップカバーを取り外した状態を示す後面図である。
【図３】実施形態におけるケーシングの水平断面図である。
【図４】実施形態における内部構造を示す断面図である。
【図５】図４のＸ１-Ｘ１断面矢視図である。
【図６】図４のＸ２-Ｘ２断面矢視図である。
【図７】実施形態における光センサの配置を示す斜視図である。
【図８】図４とは異なる断面図である。
【図９】実施形態のブロック図である。
【図１０】実施形態における芳香発生の制御を示すフローチャートである。
【図１１】実施形態における停止の制御を示すフローチャートである。
【図１２】実施形態における異常加熱時の制御を示すフローチャートである。
【発明を実施するための形態】
【００１６】
以下、添付図面を参照して、本発明の実施形態について説明する。
図１、図２において、全体を符号１００で示す芳香発生装置は、ケーシングＣを有している。
ケーシングＣは、フロントカバー１、２枚のサイドカバー２、リヤカバー３、トップカバー４、床部材５、中段棚部材６、上段棚部材７を有している。
図３で示すように、垂直部材であるフロントカバー１、２枚のサイドカバー２、リヤカバー３が、公知の接続部材（例えば図示しないビス、ナット）によって接続されており、ケーシングＣの水平断面が不等辺六角形となって組み立てられている。
【００１７】
図２において、垂直方向に延在する６枚の部材（垂直部材）、すなわち上述のフロントカバー１、２枚のサイドカバー２、リヤカバー３には、床部材５、中段棚部材６、上段棚部材７が公知の手段によって接続され、ケーシングＣが形成されている。
床部材５の下面側には、４箇所に移動用のキャスター８０が取り付けられている。４箇所の移動用キャスター８０の近傍には、上下高さを調節できるスタンド８５が設置されている。
【００１８】
床面において、装置１００の移動（キャスター８０の転がりによる移動）を防止する場合は、先ず、スタンド８５を回転させる。すると、例えばネジのリードにより、スタンド８５が伸長し、相対に移動用キャスター８０の下端が床面から浮き上がる。その結果、スタンド８５の下面のみが床面と接触した状態となり、キャスター８０の転がりによる装置１００の移動が防止できる。
ここで、図１、図２の芳香発生装置１００において、フロントカバー１のある側を「フロント側」、リヤカバー３のある側を「リヤ側」と定義する。
【００１９】
図１において、フロントカバー１は、フロント部１ａ及び二つの傾斜部１ｂを有する。フロント部１ａの下方には、矩形の開口部１ｏが形成され、当該開口部１ｏには前蓋１Ｌが設けられている。
詳細は後述するが、矩形の開口部１ｏからは、前蓋１Ｌを開けて、香料タンク１０が出し入れ自在に構成されている。
【００２０】
図１における右側のサイドカバー２には縦長の開口部２ｏが形成され、開口部２ｏには横蓋２Ｌが設けられている。
詳細は後述するが、縦長の開口部２ｏからは、横蓋２Ｌを開けて、廃液タンク１２が出し入れ自在に構成されている。
開口部２ｏの上方には、操作盤１１０とモニタ１２０が設けられている。
【００２１】
図１において、トップカバー４は、高さ寸法の小さな垂直部４１、傾斜部４２、後方垂直部４３、天蓋部４４を有している。
垂直部４１の水平断面は、フロントカバー１、サイドカバー２、リヤカバー３より成る上述した６面体の断面形状と相似形となっている。そして、垂直部４１は、フロントカバー１、サイドカバー２、リヤカバー３より成る上述した６面体の上端に接続される。
【００２２】
傾斜部４２は５つの傾斜面を有し、その５つの傾斜面それぞれに開口部４２ｏが形成され、当該開口部４２ｏに網状部材４２Ｇが張られている。或いは、各傾斜面にはパンチングメタル状に多数の小孔が穿孔された領域が形成されている。
網状部材４２Ｇが張られた５つの傾斜面の開口部４２ｏからは、気化した香料を含む空気が排出される。
トップカバー４の後方垂直部４３の構成に関しては、後述の図５において説明する。
【００２３】
図４及び図１、図２において、芳香発生装置１００は、香料タンク１０、廃液タンク１２（図２参照）、香料ポンプＰ、加熱皿７１、ファンユニット１４及び制御手段であるコントロールユニット５０を備えている。
床部材５の上面には、２本のレール８が配置され、当該レール８上を、香料タンク１０を載せたトレイ９がスライドする様に構成されている。
中段棚部材６には、図示の例では５台の香料ポンプＰが、支持部材６２によって、中段棚部材６を貫通するように取り付けられている。
【００２４】
中段棚部材６の上面には、コントロールユニット５０が配置されている。
図４において、上段棚部材７には図示の例では、５箇所に下側が凸になるような円形の窪みが形成されており、当該窪みに加熱皿７１が配置されている。
各加熱皿７１の近傍にはチューブＴが取り付けられている。チューブＴの端部Ｔｔ側（上端側）の先端は湾曲しており、そのため、チューブＴは「Ｊ」字を上下逆にしたような形状となっている。チューブＴの上方側の端部Ｔｔは、加熱皿７１の投影範囲内に配置されている（図６、図７参照）。
加熱皿７１周辺のその他の構成に関しては、図８、図９で詳述する。
【００２５】
図４において、香料タンク１０は、香料を注入するための注ぎ口１０ａ、香料排出口１０ｂ、把持用のハンドル１０ｈを有している。
注ぎ口１０ａは、タンク１０内に香料を供給した後、キャップ１０Ａをねじ込んで蓋をするように構成されている。香料排出口１０ｂには、キャップ１０Ｃが螺合している。
キャップ１０Ｃの表面側と裏面側を貫通する様に、複数（例えば５本）の第１の香料ホースＨ１が取り付けられる。
【００２６】
第１の香料ホースＨ１の各々における下端は、キャップ１０Ｃを貫通して香料タンク１０の底部に概略到達する様に配置されている。そして、第１の香料ホースＨ１の各々における上端は、香料ポンプＰの吸入側Ｐｉに接続されている。
香料ポンプＰの各々における吐出側Ｐｏには、第２のホースＨ２の各々における下端が接続されている。そして、第２のホースＨ２の各々における上端は、チューブＴの下端に接続されている。
【００２７】
ここで、香料としては、各種香油や精油、或いは、それらを適宜混合（調合）したものが好ましい。例えば、森林に多量に存在するフィトンチッドと、柑橘系を含んでいるのが好ましい。
もちろん、係る香料としては、使用状況に応じて、ケース・バイ・ケースで調合可能になっていることが好ましい。
【００２８】
図４において、トップカバー４の５つの傾斜面を有する傾斜部４２に形成された開口部４２ｏ（図１参照）には、５台のファンユニット１４が取り付けられている。
図４において、符号Ｌｏｆは制御信号ラインであり、電動ファン（以下、「ファン」と言う）Ｆの作動・停止を制御する制御信号を伝達している。
符号Ｌｏｖは、開閉弁Ｖの開閉制御信号を伝達する制御信号ラインを示している。
符号Ｌｏｐは香料ポンプＰの作動・停止を制御する制御信号を伝達する制御信号ラインを示している。
【００２９】
トップカバー４内部を、トップカバー４下方から覗いた状態を示す図５において、ファンユニット１４の各々は、２台の電動ファンＦを有しており、芳香発生装置１００全体では１０台の電動ファンＦを備えている。なお、図５では、ファンユニット１４のファンＦを作動・停止させる信号ラインは図示が省略されている。
各ファンＦのリード線Ｌｆは、トップカバー４の天蓋４４の裏面に設置された集合コネクタＣｆに接続されている。集合コネクタＣｆは、図示しない電源コードにより、制御盤１１０（図１参照）に接続されている。
【００３０】
トップカバー４の後方垂直部４３には、例えば２箇所に矩形の開口部４３ｏが形成されている。それぞれの開口部４３ｏにはフィルター４Ｆが取り付けられ、フィルター４Ｆにより開口部４３ｏから吸引される空気を清浄化している。
図５において、矢印Ｆｆａはトップカバー４内に吸引される外気を示し、矢印Ｆａａはトップカバー４外に排出される香料を含んだ空気を示している。
【００３１】
図６、図７において、上段棚部材７の上面には加熱皿７１が５箇所に配置されている。各加熱皿７１の上方には、チューブ支持部材７２によって、チューブＴの上方の端部Ｔｔが加熱皿７１側へ向かう様に取り付けられている。
上段棚部材７の上面には、発光側光センサＯＳ１、受光側光センサＯＳ２が、加熱皿７１を挟む様に配置されている。ここで、発光側光センサＯＳ１、受光側光センサＯＳ２は、発光側光センサＯＳ１の発光部ｓ１と受光側光センサＯＳ２の受光部ｓ２とが対向するように、チューブ支持部材７２の両端部に取り付けられている。
【００３２】
そして、発光側光センサＯＳ１、受光側光センサＯＳ２を作動させ、加熱皿７１から香料が気化して立ち上れば、発光部ｓ１が遮られ或いは減衰するので、これにより、揮発性香料が皿内部の液中から気化していることが認識される。そして、揮発性香料が皿内部の液中から気化している旨の信号は、信号ラインＬｏｓ（図９参照）を経由して、コントロールユニット５０に送信される。
図６、図７において、符号７１ｏは、加熱皿７１の廃液排出孔を示している。廃液排出孔７１ｏは、第１廃液排出管Ｔ２（図８参照）と連通している。
【００３３】
図８において、加熱皿７１の下面側には、第１廃液排出管Ｔ２が取り付けられており、第１廃液排出管Ｔ２には開閉手段（開閉バルブ）Ｖが介装されている。そして開閉バルブＶは、制御信号ラインＬｏｖによってコントロールユニット５０と接続されている。
第１廃液排出管Ｔ２の端部（下端）には、第１の廃液ホースＨ３の上端が差し込まれている。そして第１の廃液ホースＨ３の下端は、第２廃液排出管Ｔ３の上端に差し込まれる。
中段棚部材６の上面には、チューブサポート６４が取り付けられている。チューブサポート６４は、図示の例では、５本の第２廃液排出管Ｔ３を支持している。
【００３４】
図８において、中段棚部材６の下面における５本の第２廃液排出管Ｔ３の下方の領域には、漏斗６６が取り付けられている。漏斗６６の広口側は、中段棚部材６の下面に接している。
漏斗６６の出口チューブ６６ｔには、第２の廃液ホースＨ４の上端部が差し込まれている。第２の廃液ホースＨ４の下端部は、廃液タンク１２のキャップ１２Ｃを貫通して、廃液タンク１２の内部に連通している。
開閉バルブＶが開放された場合には、加熱皿７１内の廃液は、第１廃液排出管Ｔ２、第１の廃液ホースＨ３、第２廃液排出管Ｔ３、漏斗６６、第２の廃液ホースＨ４を介して、廃液タンク１２内に貯蔵される。
図８において、符号１２Ｂは、廃液タンク１２の収容棚を示し、収容棚１２ＢはケーシングＣ内壁面に設けられている。
【００３５】
図９は、芳香発生装置１００の制御系を模式的に示している。
なお、図９の制御系については、部分的には既に説明されている。以下においては、主として、制御系の上述されていない構成について述べる。
図９において、加熱皿７１の下方には、加熱手段１６が設けてあり、加熱手段１６には電源１８から開閉器１７を介装した給電ラインＬｅが接続されている。
加熱手段１６近傍には、加熱手段１６の温度を計測するための温度センサ（例えば、サーミスタ）１９が設けてある。
温度センサ１９は、入力信号ラインＬｉｈによって、コントロールユニット５０と接続されている。また、開閉器１７は、制御信号ラインＬｏｈによって、コントロールユニット５０と接続されている。
【００３６】
香料ポンプＰは、制御信号ラインＬｏｐによって、コントロールユニット５０と接続されている。
光センサＯＳ１、ＯＳ２は、制御信号ラインＬｏｓによって、コントロールユニット５０と接続されている。
電動ファンＦは、制御信号ラインＬｏｆによって、コントロールユニット５０と接続されている。
図９において、符号Ｕａｇ（二点差線で囲った領域）は、香料蒸発ユニットを示しており、香料蒸発ユニットＵａｇは単一の加熱皿７１、単一のポンプＰを包含している。
【００３７】
図示の実施形態では、コントロールユニット５０は、気化して徐放するべき香料の量に対応して、加熱皿７１の加熱温度を、例えば、３段階に調節する機能を有している。
また、コントロールユニット５０は、気化して徐放するべき香料の量に対応して、加熱皿７１における加熱開始タイミングと、加熱終了タイミングを制御する機能を有している。
さらに、コントロールユニット５０は、加熱開始と加熱終了のタイミングに対応して、電動ファンＦを作動するタイミングと停止するタイミングを制御する機能を有している。
それに加えて、コントロールユニット５０は、電動ファンＦの風量を制御する機能を有している。
【００３８】
次に、図１０〜図１２を参照して、実施形態における芳香発生の制御を説明する。
図１０は、芳香発生制御のメインルーチンを示している。
なお、図示の実施形態では、芳香発生装置１００は制御プログラムにより作動するように構成されているが、各種制御を作業員が行なう様に構成しても良い。
【００３９】
図１０のステップＳ１では、芳香発生装置１００の電源を入れる。そしてステップＳ２では、芳香発生量を変更するか否かを判断し、芳香発生量を変更するのであれば（ステップＳ２がＹＥＳ）ステップＳ３に進む。芳香発生量を変更しないのであれば（ステップＳ２がＮＯ）、ステップＳ６まで進む。
ここで、芳香発生量を変更するか否かは、コントロールユニット５０により、モニタ１２０を介して、質問することにより行なわれる。
ステップＳ３では、芳香発生装置１００の管理者（操作スタッフ）が、芳香発生量を入力する。
図示の例では、芳香発生量は、例えば５段階に調整可能である。そして、例えば、現状より増量する場合はアップボタンを押し、現状より減量する場合はダウンボタンを押すように構成されている。
【００４０】
ステップＳ４では、コントロールユニット５０により加熱温度を変更して、芳香発生量に対応する加熱温度とせしめる。
図示の実施形態では、芳香発生量に対応する加熱温度として、例えば５段階（Ｔ１〜Ｔ５）の温度を設定している。
ステップＳ５では、コントロールユニット５０は、例えばインバータ制御のファンＦの回転数を変更することにより、風量を変更する。
ここで、空間の広さ、温度、湿度という条件が一定であれば、芳香発生量と、加熱皿７１の加熱温度及び電動ファンＦの回転数は相関がある。係る創刊について、予め制御マップその他の形式で、コントロールユニット５０内の図示しない記憶手段に記憶させておくことが好ましい。
【００４１】
ステップＳ６に進み、コントロールユニット５０は、ポンプＰを作動する。ここで、ポンプＰに吸入流量（或いは吐出流量）の可変機能を設けている場合には、コントロールユニット５０は、必要な香料の徐放量に対応してポンプＰの吸入流量（或いは吐出流量）を調整することも可能である。
次のステップＳ７では、コントロールユニット５０は、ポンプＰ作動から所定時間が経過したか否かを判断する。所定時間が経過するまではステップＳ７がＮＯのループを繰り返す。一方、所定時間が経過したなら（ステップＳ７がＹＥＳ）、加熱皿７１に規定量の香料が注入されたと判断して、ポンプＰを停止する（ステップＳ８）。
ステップＳ９では、コントロールユニット５０は、所望の香料発生量に対応した加熱温度で加熱皿７１を加熱するべく、開閉器１７を操作して、電源１８から加熱手段１６に電力を供給する。
次のステップＳ１０では、コントロールユニット５０はファンＦを作動し、光センサＯＳ１、ＯＳ２を作動する（ステップＳ１１）。
【００４２】
ここで、芳香発生装置１００が使用される空間の温度や湿度は、季節、空間の広さ、人間の数によって変化する。そのため、ステップＳ３で入力された芳香発生量の標準値としては、例えば、年間を通しての平均温度、平均湿度において、所定の加熱温度で、且つ、所定のファン回転数の場合に、加熱皿７１中の香料における揮発成分が、所定時間内で蒸発するような量として設定されている。
したがって、例えば、温度は標準域であるが、湿度が極めて高い場合、或いは、空間が狭いような場合には、加熱温度及びファン回転数が適切に設定された値であっても、加熱皿７１内の香料の揮発成分は、予定時間よりも早く蒸発する可能性が高い。ここで、香料が揮発したか否かは、光センサＯＳ１、ＯＳ２により、確認できる。
【００４３】
ステップＳ１２では、コントロールユニット５０は光センサＯＳ１、ＯＳ２の信号から、香料が蒸発しなくなったか否か、換言すれば、過熱皿７１内に香料が残存しているか否かについて判断する。例えば、光センサＯＳ１から放射される光が遮られず、減衰しなくなった場合には、香料蒸気が当該光を遮っておらず、加熱皿７１内からは香料蒸気が発生しておらず、香料は蒸発しなくなったと判断する。
香料が蒸発している間は（ステップＳ１２がＮＯ）、ステップＳ１２が「ＮＯ」のループを繰り返す。香料が蒸発しなくなったなら（ステップＳ１２がＹＥＳ）、加熱皿７１の開閉バルブＶを開放して、加熱皿７１内の廃液を排出する（ステップＳ１３）。排出した廃液は、廃液タンク１２に貯留される。
ステップＳ１４では、コントロールユニット５０は、排出を開始してから所定時間が経過したか否かを確認する。所定時間が経過したなら（ステップＳ１４がＹＥＳ）、加熱皿７１の廃液は完全に排出されたと判断して、開閉バルブＶを閉じて、廃液のドレンを停止する（ステップＳ１５）。そして、ステップＳ２まで戻る。
【００４４】
図１１は、芳香発生装置１００を停止させるためのサブルーチンである。係るサブルーチンは、図１０のメインルーチンと並行して実行される。
図１１のステップＳ２１では、コントロールユニット５０は、装置停止信号の有無を判断する。そして、装置停止信号があるまで、待機している（ステップＳ２１がＮＯのループ）。
装置停止信号があったなら（ステップＳ２１がＹＥＳ）、ステップＳ２２に進み、例えば図示しないセンサを用いて、加熱皿７１に液体が残っていないか否かを判断する。
【００４５】
加熱皿７１に液体が残っていれば（ステップＳ２２がＮＯ）、コントロールユニット５０は開閉弁Ｖ（図８参照）を開放して廃液ドレンを開始する（ステップＳ２３）。そして、ステップＳ２２が「ＮＯ」のループを実行する。
一方、加熱皿７１に液体が残っていなければ（ステップＳ２２がＹＥＳ）、ステップＳ２４に進む。
ステップＳ２４では、コントロールユニット５０は開閉弁Ｖ（図８参照）を閉鎖して廃液ドレンを停止し、加熱皿７１の加熱も停止する（ステップＳ２５）。さらに、ポンプＰも停止し（ステップＳ２６）、光センサＯＳ１、ＯＳ２を停止して（ステップＳ２７）、ファンＦを停止させる（ステップＳ２８）。
最後にステップＳ２９で電源を切って、芳香発生装置１００停止の制御を終了する。
【００４６】
図１２を参照して、加熱皿７１が過加熱状態（オーバーヒート）となった場合に対処するためのサブルーチンを説明する。係るサブルーチンは、図１０のメインルーチンにおけるステップＳ９以降に始動され、図１０のメインルーチンと並行して実行される。
図１２のステップＳ３１では、温度センサ（例えばサーミスタ）１９によって加熱皿７１の所定位置における温度を計測する。
ステップＳ３２では、コントロールユニット５０は、サーミスタ１９からの温度情報に基づいて、加熱皿７１の所定位置における温度が第１の所定温度Ｔｎ以上となったか否かを判断する。
加熱皿７１の所定位置温度が第１の所定温度Ｔｎに達しない場合は（ステップＳ３２がＮＯ）、ステップＳ３２が「ＮＯ」のループを繰り返す。加熱皿７１の所定位置温度が第１の所定温度Ｔｎ以上となった場合には（ステップＳ３２がＹＥＳ）、加熱皿７１の加熱を停止して（ステップＳ３３）、ステップＳ３４に進む。
【００４７】
ステップＳ３４では、コントロールユニット５０は、ステップＳ３３で加熱を停止した後、所定時間が経過したか否かを判断する。所定時間が経過したならば（ステップＳ３４がＹＥＳ）ステップＳ３５に進み、加熱皿７１の所定位置温度が第２の所定温度Ｔｙ以下であるか否かを判断する。
ここで、第１の所定温度Ｔｎ＞第２の所定温度Ｔｙである。
所定時間内で加熱皿７１の所定位置温度が第２の所定温度Ｔｙ以下に降温したのであれば（ステップＳ３５がＹＥＳ）、加熱皿７１は加熱していないと判断して、ステップＳ３６で加熱皿７１の加熱を再開する。そしてステップＳ３１まで戻り、ステップＳ３１以降を繰り返す。
所定時間が経過したのに、加熱皿７１の所定位置温度が第２の所定温度Ｔｙ以下に降温市無かった場合（ステップＳ３５がＮＯ）には、ステップＳ３７に進む。ステップＳ３７では、コントロールユニット５０は、トラブルが発生したと認識して、当該加熱皿７１を包含する香料蒸発ユニットＵａｇを停止して、ステップＳ３８に進む。
【００４８】
ステップＳ３８では、コントロールユニット５０は、装置１００全体で香料蒸発ユニットＵａｇが何台停止しているかを判断し、停止しているユニットＵａｇがＮ台（例えば３台）以上になったか否かを判断する。
停止しているユニットＵａｇがＮ台未満であれば（ステップＳ３８がＮＯ）、トラブルが発生した香料蒸発ユニットＵａｇのみを停止すれば、芳香発生装置１００の運転自体には問題がないと判断して、ステップＳ３１まで戻る。
一方、停止しているユニットＵａｇがＮ台以上となった場合には（ステップＳ３８がＹＥＳ）、コントロールユニット５０は、芳香発生装置１００の運転続行は危険であると判断して、芳香発生装置１００の非常停止を行ない（ステップＳ３９）、制御を終了する。
【００４９】
図示の実施形態によれば、香料ポンプＰ、第２のホースＨ２、加熱皿７１及び加熱装置１６、ファンＦは複数設けられているので、気化した香料を大量に徐放することが出来る。
そのため、各種遊技場等の娯楽施設の様に、多人数が集まる空間に配置しても、当該空間中における大量の芳香或いは気化した香料を徐放して、当該空間に存在する人々に芳香或いは気化した香料の存在を感知させることが出来る。
その結果、香料（特に機能性香料）における身体に良好な影響を、各種遊技場等の娯楽施設等の空間に集った大勢の人達に与えることが出来る。
【００５０】
また、図示の芳香発生装置１００によれば、第１のホースＨ１、ポンプＰ、第２のホースＨ２、加熱皿７１及び加熱装置１６、ファンＦから成る徐放機構が複数ユニット（蒸発ユニットＵａｇとして５ユニット）存在しているので、何れか一つの徐放機構（Ｕａｇ）が損傷したり、機能しなくなったりした場合においても、残りの徐放機構から気化した香料を徐放して、芳香発生装置１００が設置されている空間に集っている人々に芳香や気化した香料の存在を認識させ続けることが可能である。
【００５１】
図示の実施形態では、芳香発生装置１００にコントロールユニット５０を設け、加熱手段１６の加熱温度と、加熱手段１６における加熱を開始するタイミング及び終了するタイミングと、ファンＦの作動タイミング及び停止タイミングと、ファンＦにおける風量とを制御する様に構成している。
そのため、気化して徐放するべき香料の量に対応して、加熱手段１６、ファンＦを適正に制御して、香料の加熱及び除法を適正に実行することが出来る。
【００５２】
さらに実施形態に係る芳香発生装置１００は、加熱皿７１（加熱装置１６）が過熱した旨を検知する温度センサ（例えば、サーミスタ）１９を備え、温度センサ１９が、加熱皿７１及び加熱装置１６が過熱した旨を検知した場合には加熱装置１６における加熱を停止する様に構成している。
したがって、加熱皿７１及び加熱装置１６における異常な加熱を防止して、例えば、発火や焦げ付きによる異臭発生等の不都合を防止することが出来る。
【００５３】
図示の実施形態はあくまでも例示であり、本発明の技術的範囲を限定する趣旨の記述ではないことを付記する。
【符号の説明】
【００５４】
１・・・フロントカバー
２・・・サイドカバー
３・・・リヤカバー
４・・・トップカバー
５・・・床部材
６・・・下方棚部材
７・・・上方棚部材
８・・・レール
９・・・トレイ
１０・・香料タンク
１２・・・廃液タンク
１４・・・ファンユニット
１６・・・加熱部材
１９・・・温度センサ
５０・・・制御手段／コントロールユニット
７１・・・加熱皿
Ｆ・・・電動ファン／ファン
Ｈ２・・・第２の香料ホース
Ｈ３・・・第１の廃液ホース
ＯＳ１、ＯＳ２・・・光センサ
Ｐ・・・香料ポンプ／ポンプ
Ｖ・・・開閉弁
【図１】
2011217814.tif 000003
【図２】
2011217814.tif 000004
【図３】
2011217814.tif 000005
【図４】
2011217814.tif 000006
【図５】
2011217814.tif 000007
【図６】
2011217814.tif 000008
【図７】
2011217814.tif 000009
【図８】
2011217814.tif 000010
【図９】
2011217814.tif 000011
【図１０】
2011217814.tif 000012
【図１１】
2011217814.tif 000013
【図１２】
2011217814.tif 000014